(57)【特許請求の範囲】
【請求項１】
プロセス変数を計測するために工業用プロセスで用いるための計測トランスミッタであって、
第１カバーによって密閉された第１空洞と、第２カバーによって密閉された第２空洞とを有するハウジング本体を含むハウジングアセンブリと、
前記ハウジング本体を通して前記第２空洞内の接点に延伸される電力用及び保守点検通信用導体を含む前記第１空洞内の計測回路アセンブリと、
前記計測回路に接続されたプロセス変数センサと、
前記第２空洞内の前記接点に端子差し込み接続し、一次バッテリと、前記第２カバーを取り除くことによって接続のために保守点検用機器に曝される保守点検用通信コネクタとを含む交換可能モジュールと、
を含む、計測トランスミッタ。
【請求項２】
前記計測回路アセンブリが、無線アンテナを含み、前記無線アンテナが、前記第１カバー及び前記ハウジングアセンブリの少なくとも一方を通して無線通信信号を放射する、
請求項１記載の計測トランスミッタ。
【請求項３】
前記第１カバーが、前記無線通信信号に対して透過性であるプラスチック樹脂を含む、
請求項２記載の計測トランスミッタ。
【請求項４】
前記無線通信信号が、無線ＨＡＲＴ通信信号を含む、
請求項２記載の計測トランスミッタ。
【請求項５】
前記ハウジング本体が、前記ハウジング本体の内部通路内に、前記電力用及び保守点検通信用導体をシールするシールを含む、
請求項１記載の計測トランスミッタ。
【請求項６】
前記交換可能モジュールが、把持用リングを含み、前記把持用リングが、前記交換可能モジュールを端子非接続にして引き抜くために、前記第２カバーを取り除くことによってアクセス可能であるように前記第２空洞を越えて突出する、
請求項１記載の計測トランスミッタ。
【請求項７】
前記第２カバーが、前記第２カバーが設置されるときに、前記保守点検用通信コネクタ及び前記把持用リングが内部に突出するカバー空洞を含む、
請求項６記載の計測トランスミッタ。
【請求項８】
前記交換可能モジュールと前記第２カバーとの間で圧縮されるばねをさらに含む、
請求項１記載の計測トランスミッタ。
【請求項９】
前記交換可能モジュールが、突出する位置合わせ用タブを含み、
前記第２空洞が、前記位置合わせ用タブと位置合わせして、前記第２空洞内の前記各接点の中への、前記交換可能モジュールの端子差し込み接続の位置合わせを制御する位置合わせ用スロットを含む、
請求項１記載の計測トランスミッタ。
【請求項１０】
工業用プロセスで計測トランスミッタとともに用いるための交換可能モジュールであって、
無線計測トランスミッタと接続するように適合された保守点検用通信接点及び電力供給用接点を含む、一組のモジュールコネクタ接点と、
位置合わせ用タブを含み、前記一組のモジュールコネクタ接点が、一組の無線計測トランスミッタ接点と位置合わせされるように、前記位置合わせ用タブが、前記無線計測トランスミッタ内の位置合わせ用スロットに係合するように適合されたモジュール外カバーと、
テストフックに接続するように適合された保守点検用通信コネクタと、
電力供給用接点に接続する一次バッテリと、
前記保守点検用通信コネクタを前記保守点検用通信接点に接続させる導体と、
を含む、交換可能モジュール。
【請求項１１】
前記モジュール外カバーが、前記一次バッテリを固定する内側リブを含む、
請求項１０記載の交換可能モジュール
【請求項１２】
前記モジュール外カバーが、前記一次バッテリを固定する埋め込み剤で充填される、
請求項１０記載の交換可能モジュール。
【請求項１３】
前記一次バッテリが、取り外し可能であり、前記交換可能モジュールの残りから分離可能であるコンポーネントとして交換可能である、
請求項１０記載の交換可能モジュール。
【請求項１４】
前記一次バッテリが、単一のセルを含む、
請求項１０記載の交換可能モジュール。
【請求項１５】
前記一次バッテリが、複数のセルを含む、
請求項１０記載の交換可能モジュール。
【請求項１６】
前記一組のモジュールコネクタ接点が、プリント配線板上に位置付けられる、
請求項１０記載の交換可能モジュール。
【発明の詳細な説明】
【技術分野】
【０００１】
本発明は、無線計測トランスミッタに関し、特に携帯型保守点検用機器、たとえばハンディ型通信機へのワイヤによる一時的な接続によって遠隔設定可能な回路設定を有する無線計測トランスミッタに関する。回路設定の設定は、往々にして、爆発性、腐食性又は両方の雰囲気が存在する場合がある工業用プラント環境で行われる。無線計測トランスミッタカバーが取り除かれて、回路設定又は他の動作が行われると、計測電子機器が雰囲気に曝され、結果として電子機器が劣化又は破損するか、又は爆発性雰囲気中での電気スパークの危険の可能性がある。また、一次バッテリを交換するために無線トランスミッタカバーが取り除かれると、爆発性雰囲気中での電気スパークの危険の可能性もある。
【背景技術】
【０００２】
一部の既存の計測トランスミッタでは、保守点検作業を安全に行うために、余分な工程、たとえばプロセスから装置を外して、安全な領域に移すことが必要とされる場合がある。
【発明の概要】
【０００３】
プロセス変数を計測するために工業用プロセスで用いるための計測トランスミッタは、ハウジングアセンブリを含む。ハウジングアセンブリは、第１カバーによって密閉された第１空洞と、第２カバーによって密閉された第２空洞とを有するハウジング本体を含む。第１空洞内の計測回路アセンブリは、ハウジング本体を通して第２空洞内の接点に延伸される電力用及び保守点検通信用導体を含む。計測センサは、計測回路に接続する。
【０００４】
交換可能モジュールは、第２空洞内の接点に差し込まれる。交換可能モジュールは、一次バッテリ及び保守点検用通信コネクタを含む。保守点検用通信コネクタは、第２カバーを取り除くことによって、保守点検用機器に接続されるために曝される。
【図面の簡単な説明】
【０００５】
【図１Ａ】無線計測トランスミッタの上部の分解図である。
【図１Ｂ】無線計測トランスミッタの下部の分解図である。
【図２】図１Ａ及び図１Ｂの無線計測トランスミッタの一部の断面図である。
【図３】計測センサに、及びハンディ型保守点検用機器に接続された無線計測トランスミッタの模式図である。
【図４Ａ】代表的な交換可能モジュールの分解図である。
【図４Ｂ】代表的な交換可能モジュールの分解図である。
【図５】交換可能モジュールの代替の実施形態の正面図である。
【図６】リミッタ回路を図示する。
【発明を実施するための形態】
【０００６】
以下に記載された実施形態では、工業用プロセスで用いられる、交換可能モジュールを含む無線計測トランスミッタが開示されている。交換可能モジュールは、無線計測トランスミッタに電力供給する一次バッテリを含み、保守点検用通信コネクタをさらに含む。１つの構成では、一次バッテリは、充電可能ではない使い捨てのバッテリである。交換可能モジュールは、無線計測トランスミッタのハウジング本体内の密栓できる空洞の中にスライドする。保守点検用通信コネクタは、保守点検作業中にテストフックを接続することに便利であるように、キャビティから突出する。計測回路アセンブリは、別個にシールされた第１空洞内に設置される。
【０００７】
第１空洞は、保守点検作業及びバッテリを交換している間、周囲の工業的雰囲気からシールされることができる。第１空洞から第１カバーを取り除くことによって、汚染されているか又は爆発性である恐れがある周囲の工業的雰囲気に計測回路アセンブリを曝すことなく保守点検作業を行うことができる。
【０００８】
いくつかの実施形態では、計測回路アセンブリは、無線アンテナを含み、無線アンテナは、第１カバー及びハウジングを通して無線通信信号を放射し、これらは無線通信信号に対して透過性であるプラスチック樹脂等の材料で形成される。他の実施形態では、無線通信信号は、工業用通信プロトコル、たとえば無線ＨＡＲＴを含む。
【０００９】
図１Ａ、１Ｂは、無線計測トランスミッタ１００の上部（図１Ａ）及び下部（図１Ｂ）の分解図である。無線計測トランスミッタ１００は、部分１０２Ａ、１０２Ｂ、１０２Ｃを含むハウジングアセンブリ１０２を含む。ハウジングアセンブリ１０２は、ハウジング本体１０２Ｂ（図１Ａ、１Ｂの両方に示される）、第１カバー１０２Ａ及び第２カバー１０２Ｃを有する。ハウジング本体１０２Ｂは、第１カバー１０２Ａによって密閉される第１空洞１０４を含む。ハウジング本体１０２Ｂは、第２カバー１０２Ｃによって密閉される第２空洞１０６を有する。カバー１０２Ａ、１０２Ｃは、ハウジング本体１０２Ｂ上の嵌め合いスレッドに係合するスレッドと螺合される。２つのカバー１０２Ａ、１０２Ｃの使用は、第２カバー１０２Ｃを取り除くことによって、周囲の工業的環境からの汚染に第１空洞１０４内に配設された電子部品を曝すことなく、また雰囲気又は周囲の工業的環境に第１空洞を曝すことなく、保守点検作業（たとえば一次バッテリ交換、設定の調整）を可能にする。
【００１０】
１つの実施形態によれば、第１カバー１０２Ａは、電気絶縁性であり、無線通信信号の送信に実質的に透過性である材料、たとえばプラスチック樹脂で形成される。
【００１１】
無線計測トランスミッタ１００は、計測回路アセンブリ１０８を含む。計測回路アセンブリ１０８は、第１空洞１０４内に配設される。計測回路アセンブリ１０８は、ねじ、たとえばねじ１１０によってハウジング本体１０２Ｂに固定される。計測回路アセンブリ１０８は、ハウジング本体１０２Ｂ内の内部通路１１４を通って第２空洞１０６内の接点１１６に延伸される、電力用及び保守点検通信用導体１１２を含む。１つの実施形態では、接点１１６（図１Ａ）は、ねじ１１８（図１Ｂ）によって第２空洞１０６内の固定位置に固定される。別の実施形態によれば、接点１１６（図１Ａ）は、ハウジング本体１０２Ｂの一部として整形されたポスト（図示せず）によって、第２空洞１０６内の固定位置に固定され、実施形態ではねじ１１８は必要とされない。接点１１６を固定するために、ポストを柔らかくして変形させる。１つの実施形態によれば、内部通路１１４は、バッテリコンポーネントが開いている場合、環境に対するバリアを提供するようにシールされる。
【００１２】
無線計測トランスミッタ１００は、交換可能モジュール１２０を有する。交換可能モジュール１２０は、第２空洞１０６内の接点１１６に差し込まれる。交換可能モジュール１２０は、一次バッテリ１５０（図２に示される）を含む。交換可能モジュール１２０は、第２空洞１０６を越えて突出する保守点検用通信コネクタ１２２をさらに含む。保守点検用通信コネクタ１２２には、外部保守点検用機器（図１Ａ、１Ｂには図示せず、図３に示される）に接続するために、第２カバー１０２Ｃを取り除くことによってアクセス可能である。１つの実施形態によれば、交換可能モジュール１２０は、リミッタ回路１５２を含む。リミッタ回路１５２は、図６に関連して以下により詳細に記載された例によって、以下により詳細に記載される。
【００１３】
１つの実施形態によれば、交換可能モジュール１２０は、把持用リング１２４を有し、把持用リング１２４は、第２カバー１０２Ｃを取り除くことによって、接点１１６から交換可能モジュール１２０を端子非接続にして引き抜くためにアクセス及び把持できるように、第２空洞１０６を越えて突出される。１つの実施形態では、把持用リング１２４は、人間の手の向かい合った指によって把持されるように適合される。別の実施形態によれば、第２カバー１０２Ｃは、空洞１２３（図２に示される）を有し、ハウジング本体１０２Ｂ上に第２カバー１０２Ｃが設置されると、空洞の中で保守点検用通信コネクタ１２２及び把持用リング１２４が突出する。把持用リング１２４は、任意の形状であることができ、図に示された形状に限定されない。さらに別の実施形態によれば、交換可能モジュール１２０は、１又はそれ以上のばね１２７（圧縮された状態で図２にさらに示される）に係合する環状のスラスト面１２５を含む。図２に示されるように、ばね１２７は、第２カバー１０２Ｃがハウジング本体１０２Ｂ内に螺合されると、スラスト面１２５と第２カバー１０２Ｃとの間で圧縮される。１つの実施形態によれば、ばね１２７は、波ばねである。別の実施形態によれば、ばね１２７は、ベルビル（Ｂｅｌｌｅｖｉｌｌｅ）ワッシャーばねである。把持用リング１２４は、保守点検用通信コネクタ１２２を機械的損傷から保護するように突出する。把持用リング１２４は、ばね１２７を設置するために位置合わせする。ばね１２７は、モジュールに、相互接続のピン及びソケットが互いに対して動かないようにするための力を提供する。ばね１２７は、振動による予想最大加速度を受けて、多数の電力モジュールによって生成されることができるよりも大きい力を提供するようなサイズにされる。
【００１４】
１つの実施形態によれば、交換可能モジュール１２０は、１又はそれ以上の突出する位置合わせ用タブ１２６を有し、第２空洞１０６は、位置合わせ用タブ１２６と係合して、第２空洞１０６内の接点１１６に交換可能モジュールを差し込んだときに位置合わせを制御する、１又はそれ以上の位置合わせ用スロット１２８を有する。
【００１５】
１つの実施形態によれば、無線計測トランスミッタ１００は、計測センサ１３０を有する。計測センサ１３０は、ナット１３４及びシーリングリング１３２によってハウジング本体１０２Ｂに取り付けられる。別の実施形態によれば、計測センサ１３０は、プロセス容器（たとえばパイプ、バルブ、又はタンク）に堅固に据え付けられ、計測センサ１３０は、無線計測トランスミッタ１００の重さを支え、無線計測トランスミッタ１００用の取り付け具として機能する。保守点検用通信コネクタ１２２は、保守点検用機能、たとえば無線計測トランスミッタ１００の試験及びプログラミングを行うために用いられることができる外部保守点検用装置（図１Ａ、１Ｂに図示せず）にワイヤ接続されるテストフックへの接続用に適合される。計測センサ１３０は、計測回路アセンブリ１０８に電気接続された電気的接点１３６を含む。１つの実施形態によれば、電気的接点１３６は、計測回路アセンブリ１０８に直接固定される。別の実施形態によれば、電気的接点１３６は、リード線によって計測回路アセンブリ１０８に電気接続される。１つの実施形態では、計測センサ１３０は、音響センサである。別の実施形態では、計測センサ１３０は、圧力センサである。
【００１６】
１つの実施形態によれば、無線計測トランスミッタ１００は、計測センサ１３０で工業用プロセス変数を検知し、計測センサ１３０は、電気的接点１３６を介して、計測回路アセンブリ１０８に工業用プロセス変数を表す電気信号を提供する。計測回路アセンブリ１０８は、交換可能モジュール１２０内の電気セル又はバッテリによって電力供給される電子計測回路１４０を含む。計測回路アセンブリ１０８は、離間した場所にある制御システム（図１Ａ、１Ｂには図示せず）に対して、制御情報の無線通信を提供するアンテナ１４２を含む。アンテナ１４２は、無線通信信号に対して透過性である第１カバー１０２Ａ及びハウジング本体１０２Ｂを通して放射する。
【００１７】
図２は、図１Ａ、１Ｂの無線計測トランスミッタ１００の一部の断面図である。交換可能モジュール１２０は、第２空洞１０６内に設置される。第２空洞１０６は、第２カバー１０２Ｃによって密閉される。ばね１２７は、第２カバー１０２Ｃと、交換可能モジュール１２０のモジュール外ケース１５８上のスラスト面１２５との間で圧縮される。
【００１８】
交換可能モジュール１２０は、第２空洞内の接点１１６の中に差し込むモジュール接点１５４を有する。交換可能モジュール１２０は、一次バッテリ１５０と、保守点検作業のために第２カバー１０２Ｃが取り除かれたときに第２空洞１０６の縁１６０を越えて突出する保守点検用通信コネクタ１２２とを含む。第２カバー１０２Ｃが取り除かれた状態で、保守点検用通信コネクタ１２２は、テストフックを用いて保守点検用機器への接続にアクセス可能である。保守点検用通信コネクタ１２２は、接点１１６から交換可能モジュール１２０を引き抜くことなく、電気接続にアクセスすることができる。そして、無線計測トランスミッタ１００は、保守点検作業の間、一次バッテリ１５０によって電力供給される。
【００１９】
図３は、計測センサ１３０に、及びハンディ型保守点検用機器１６０に接続された無線計測トランスミッタ１００の模式図である。無線計測トランスミッタ１００は、電子計測回路１４０及び無線アンテナ１４２を含む。
【００２０】
電子計測回路１４０は、コンバータ回路１６２を含む。コンバータ回路１６２は、工業用プロセス１６４から検知されたプロセス変数を表す、計測センサ１３０からの電気出力を受信する。１つの実施形態によれば、計測センサ１３０は（プロセス変数に加えて）温度を検知し、コンバータ回路１６２は、プロセス変数の関数としてのプロセス状態及び温度を診断する。コンバータ回路１６２は、保守点検用通信回路１７２に、プロセス状態を表す出力を提供する。保守点検用通信回路１７２は、無線アンテナ１４２に、プロセス状態を通信する。無線アンテナ１４２は、工業用プロセス１６４を制御又は監視する工業用プロセス制御システム１６６に、プロセスデータを無線通信する。１つの態様では、計測センサ１３０は音響センサであり、プロセス状態は、音響レベル及び温度の組み合わせに依存するスチームベゼルの動作状態、たとえば、通常のスチームベゼル動作、スチームベゼル内の詰まり状態、又はスチームベゼル内の漏れ状態を含む。
【００２１】
電子計測回路１４０は、保存された設定１６８を含む。保存された設定１６８は、たとえばプロセス変数範囲設定、較正データ設定、無線周波数設定、又は電子計測回路１４０の動作を制御する他の設定であってもよい。１つの実施形態によれば、保存された設定１６８は、無線アンテナ１４２を通して工業用プロセス制御システム１６６から受信されたコマンドによって遠隔操作で調整可能である。別の実施形態によれば、保存された設定１６８は、交換可能モジュール１２０を通してハンディ型保守点検用機器１６０から受信されたコマンドによって遠隔操作で調整可能である。保守点検用機器１６０は、テストフック１７４、１７６によって、通信コネクタ１２２に接続され、通信コネクタ１２２は、交換可能モジュール１２０内の配線１７０によって、電子計測回路１４０内の保守点検用通信回路１７２に接続される。１つの実施形態によれば、保守点検用通信は、ＨＡＲＴ通信プロトコルを用いて通信される。交換可能モジュール１２０内の一次バッテリ１５０は、配線１７８によって接続されて、電子計測回路１４０に電力供給する。
【００２２】
図４Ａ、４Ｂは、代表的な交換可能モジュール２００の分解図である。交換可能モジュール２００は、第２空洞１０６（図１Ａ、１Ｂ）内の接点１１６（図１Ａ）の中に差し込まれて、計測回路アセンブリ１０８（図１Ａ）との電気接続を行うモジュール接点２５４を含む。モジュール接点２５４は、シール２５７によって取り囲まれる。モジュール接点２５４は、プリント配線板２５５に据え付けられる。プリント配線板２５５は、リード線２５１を介して一次バッテリ２５０に接続する。プリント配線板２５５は、リード線２５３を介して保守点検用通信コネクタ２５２に接続する。交換可能モジュール２００は、計測回路アセンブリ１０８に電力供給する一次バッテリ２５０を含む。１つの実施形態では、一次バッテリ２５０は、１又はそれ以上の電気セルを有する。交換可能モジュール２００は、テストフック（図４Ａ、４Ｂには図示せず）によって保守点検用機器（図４Ａ、４Ｂには図示せず）に接続可能である保守点検用通信コネクタ２５２を含む。
【００２３】
交換可能モジュール２００は、モジュール外カバー２５８を含む。モジュール外カバー２５８は、接点１１６（図１Ａ）内への接点２５４の端子差し込み接続の位置合わせを制御する位置合わせ用スロット１２８（図１Ａ、１Ｂ）を係合する位置合わせ用タブ２５６を含む。モジュール外カバー２５８は、接点１１６（図１Ａ）から交換可能モジュール２００を端子非接続にして引き抜くためにアクセス及び把持（図１Ｂの第２カバー１０２Ｃを取り除くことによって）が可能である把持リング２５４を含む。
【００２４】
交換可能モジュール２００は、モジュール外カバー２５８に取り付けられたモジュールキャップ２６０を有する。１つの実施形態によれば、モジュール外カバー２５８の隙間は埋め込み剤等で充填され、モジュールキャップ２６０は、埋め込み剤が付与された後、シーリングリング２６２で覆われる。モジュール外カバー２５８には、識別用及び一次バッテリ２５０の有効期限を示すためのラベル２６４が貼付される。１つの実施形態では、キャップ２６０の周囲にＯリングが設置される。これは、図１Ｂの空洞１０６の底におけるシールを形成する。このシールは、空洞１０６に侵入する水又は汚染物質からの各導体の保護を提供する。
【００２５】
図５は、交換可能モジュール５００の代替の実施形態を示す。交換可能モジュール５００では、一次バッテリ５０２は、取り外しでき、交換可能モジュール５００の残りから分離可能であるコンポーネントとして交換されることができる。一次バッテリ５０２は、一次バッテリコネクタ５０４を含む。一次バッテリコネクタ５０４は、モジュールコネクタ５０６と嵌め合う。モジュールコネクタ５０６は、ラッチ５０８を含み、交換可能モジュール５００内の配線によって一次バッテリ５０２を接続するケーブル５１０と接続する。交換可能モジュール５００は、保守点検用通信コネクタ５１２を有する。図５に図示されるように、保守点検用通信コネクタ５１２は、ハンディ型携帯型保守点検用機器（図５には図示せず）に接続するテストフック５１４、５１６に接続するように適合される。
【００２６】
上述の実施形態では、交換可能モジュール１２０、２００、５００は、本質的に安全（イントリンジカリセーフ）であり、汚染された環境内で、爆発性環境から計測トランスミッタ全体を取り除くことなく交換されることができる。一次バッテリは、保護カバー１５８に入れられ、これは落下したときに一次バッテリ１５０を亀裂から保護し、本質的な安全を提供する。交換可能モジュールは、DIVISION 1及びZONE 0の領域で用いるのに好適である。交換可能モジュールは、火気使用許可なしにCLASS 1又はZONE 0の領域に持ち込まれることができる。
【００２７】
１０年又はそれ以上の寿命を有するバッテリを用いることができ、この長期間にわたって、一次バッテリ接点は、一次バッテリ接点が振動に備えて固定されない限り、フレッチング腐食の影響下にある場合がある。ばね１２７を用いることにより、交換可能モジュール１２０とハウジング本体１０２Ｂとの間の振動運動が低減し、フレッチング腐食が低減して、１０年又はそれ以上の使用が可能になるようにされる。交換可能モジュールは、本質的安全（イントリンジックセーフ）規格の要求に違反することなく、爆発性工業的雰囲気中で交換されることができる。ばね１２７は、モジュールに、相互接続のピン及びソケットが互いに対して動かないようにするための力を提供する。ばね１２７は、振動による予想最大加速度を受けて、多数の電力モジュールによって生成されることができるよりも大きい力を提供するようなサイズにされる。
【００２８】
図６は、リミッタ回路５２０の一例を図示する。１つの実施形態によれば、リミッタ回路５２０は、交換可能モジュール（たとえば図２の交換可能モジュール１２０内のリミッタ回路１５２）内の回路基板上に存在する。リミッタ回路５２０は、図６に示されるように、直列に電気接続された複数のセル５４０、５４２に結合する。リミッタ回路５２０は、セル５４０、５４２に結合する終端５２２、５２４を含む。好ましくは、リミッタ回路５２０内のコンポーネントと回路基板トレースとの間の間隔は、本質的安全規格の間隔の要求に準拠する。図６に図示されるように、リミッタ回路５２０は、２つの主要部分を含む。
【００２９】
終端５２２、５２４から境界線５２６を通る第１の部分は、基本的に低電圧遮断機能を提供する。バッテリ電圧が約４ボルトの閾値を下回って低下すると、監視回路５２８からの出力は電界効果トランジスタ（ＦＥＴ）５３０を駆動して、開回路を提供する。２つのセルバッテリパック５４０、５４２は、最初に約７．２ボルトを供給する。このように、バッテリパック５４０、５４２の電圧が閾値を下回って低下すると、バッテリパック５４０、５４２は、ＦＥＴ５３０によって提供された開回路に起因して、フィールド装置端子５４４、５４６から効果的に切り離される。
【００３０】
境界線５２６と境界線５３２との間の回路５２０の第２の部分は、ヒューズ５３４を過剰な電流から保護することを助ける電流制限回路を提供する。電流制限回路は、ヒューズ５３４に、本質的安全規格の要求を満たす安全電流制限を下回るが、ヒューズ電流の限界（たとえば０．２５アンペア）を上回ってヒューズが切れる電流が流れることから保護する。電流制限回路は、交換可能モジュールが使い捨て（修理可能でなく、再利用可能でない）モジュールである場合に特に有用であるが、これは、ヒューズが切れると、有効バッテリ寿命が終わる前に交換可能モジュール全体を交換することが必要とされるためである。リミッタ回路５２０は、直列接続された複数のセルを使用することに起因して、高バッテリ電圧が存在する場合に特に有用である。
【００３１】
交換可能モジュールは、工業的環境で用いるのに好適な、堅固で頑丈な耐衝撃性コンポーネントである。交換可能モジュールは、破損から保護するためのカバー付きの防水の空洞の中に収まる。１つの実施形態によれば、モジュール外カバーは、内側リブ等を含み、埋め込み剤を使用することなく一次バッテリを固定することができる。別の実施形態によれば、Ｏリングシールを用いて、熱膨張を可能にし、かつシーリングを提供することができる。別の実施形態によれば、カバーは、バットレススレッドであるスレッドを備え、優れた耐クリープ性を提供することができる。
【００３２】
好ましい実施形態を参照して本発明を説明してきたが、当業者においては、本発明の本質及び範囲から逸脱することなく、形状及び詳細に変更がなされてもよいことが認識されよう。
【図１Ａ】
0005529354.tif 000002
【図１Ｂ】
0005529354.tif 000003
【図２】
0005529354.tif 000004
【図３】
0005529354.tif 000005
【図４Ａ】
0005529354.tif 000006
【図４Ｂ】
0005529354.tif 000007
【図５】
0005529354.tif 000008
【図６】
0005529354.tif 000009